(57)【要約】【課題】プリーツフィルタに付着した細塵を振動により効果的に除塵できると共に、振動付与時にプリーツフィルタの波形状のヒダのフィルタ面に損傷を与えないようにできる電気掃除機を提供すること。【解決手段】電気掃除機は、集塵室１３ａ及び該集塵室１３ａに吸込負圧を作用させる電動送風機４を有する掃除機本体１と、前記集塵室１３ａと前記電動送風機４の吸込口４ａとの間に配設され且つ断面形状が波形状の複数のヒダ２４を有するプリーツフィルタ１９と、前記プリーツフィルタ１９の塵落とし手段（除塵装置２９）を備えている。しかも、この電気掃除機は、前記複数のヒダ２４の配列方向に複数配列され且つ前記複数のヒダ２４の頂部２４ｂをそれぞれ直接叩き可能に設けられた叩き部材３０と、前記複数の叩き部材３０を前記複数のヒダ２４の頂部２４ｂに対してそれぞれ進退駆動させる叩き部材駆動手段３１を備えている。【選択図】図３
2007244724.tif 000002
【特許請求の範囲】
【請求項１】
集塵室及び該集塵室に吸込負圧を作用させる電動送風機を有する掃除機本体と、前記集塵室と前記電動送風機の吸込口との間に配設され且つ断面形状が波形状の複数のヒダを有するプリーツフィルタと、前記プリーツフィルタの塵落とし手段とを備える電気掃除機であって、
前記複数のヒダの配列方向に複数配列され且つ前記複数のヒダの頂部をそれぞれ直接叩き可能に設けられた叩き部材と、
前記複数の叩き部材を前記複数のヒダの頂部に対してそれぞれ進退駆動させる叩き部材駆動手段を備えることを特徴とする電気掃除機。
【請求項２】
請求項１に記載の電気掃除機において、前記叩き部材駆動手段は、前記複数の叩き部材が時間をずらして前記複数の頂部を異なるタイミングでそれぞれ叩き可能に、前記複数の叩き部材を前記複数の頂部に対してそれぞれ駆動可能に設けられていることを特徴とする電気掃除機。
【請求項３】
請求項１又は２に記載の電気掃除機において、前記叩き部材駆動手段は、前記叩き部材を前記頂部に対して付勢する弾性部材と、前記叩き部材を前記弾性部材の弾性力に抗して前記頂部から離反する方向に移動力を前記弾性部材に作用させた後に前記移動力を解除させる叩き部材移動手段を備えることを特徴とする電気掃除機。
【請求項４】
請求項１〜３のいずれか一つに記載の電気掃除機において、前記弾性部材は丸棒状の線状バネであることを特徴とする電気掃除機。
【請求項５】
請求項４に記載の電気掃除機において、前記線状バネは前記頂部に沿って配設されていることを特徴とする電気掃除機。
【請求項６】
請求項１〜５のいずれか一つに記載の電気掃除機において、前記プリーツフィルタの各ヒダには、前記頂部に沿って樹脂製の線状枠が形成されていることを特徴とする電気掃除機。
【請求項７】
請求項１〜６のいずれか一つに記載の電気掃除機において、前記プリーツフィルタの上流側の面には、多孔質で表面が滑らかな塵埃剥離用多孔質薄膜が設けられていることを特徴とする電気掃除機。
【発明の詳細な説明】
【技術分野】
【０００１】
この発明は、集塵室と電動送風機の吸込口との間にプリーツフィルタが配設された電気掃除機に関するものである。
【背景技術】
【０００２】
従来の電気掃除機には、掃除機本体の前部に集塵室を設け、この集塵室に吸込負圧を作用させる電動送風機を掃除機本体の後部内に設け、この集塵室と電動送風機の吸込口との間に細塵を捕集させるプリーツフィルタを介装すると共に、このプリーツフィルタに付着した細塵を落とすための除塵手段を設けたものが知られている（例えば、特許文献１参照）。
【０００３】
このような電気掃除機としては、プリーツフィルタに振動を付与して、フィルタに付着した細塵を除塵する振動付与手段（除塵手段）を設けたものも考えられている。
【特許文献１】特開２００５−２６１５１８号公報
【発明の開示】
【発明が解決しようとする課題】
【０００４】
このような振動付与手段を設けた電気掃除機では、プリーツフィルタに付着した細塵を振動により効果的に除塵できると共に、振動付与時にプリーツフィルタの波形状のヒダのフィルタ面に損傷を与えないようにできることが望ましい。
【０００５】
そこで、この発明は、プリーツフィルタに付着した細塵を振動により効果的に除塵できると共に、振動付与時にプリーツフィルタの波形状のヒダのフィルタ面に損傷を与えないようにできる電気掃除機を提供することを目的とするものである。
【課題を解決するための手段】
【０００６】
この目的を達成するため、この発明は、集塵室及び該集塵室に吸込負圧を作用させる電動送風機を有する掃除機本体と、前記集塵室と前記電動送風機の吸込口との間に配設され且つ断面形状が波形状の複数のヒダを有するプリーツフィルタと、前記プリーツフィルタの塵落とし手段とを備える電気掃除機であって、
前記複数のヒダの配列方向に複数配列され且つ前記複数のヒダの頂部をそれぞれ直接叩き可能に設けられた叩き部材と、前記複数の叩き部材を前記複数のヒダの頂部に対してそれぞれ進退駆動させる叩き部材駆動手段を備える電気掃除機としたことを特徴とする。
【発明の効果】
【０００７】
この構成によれば、プリーツフィルタの複数のヒダの頂部を複数の叩き部材でそれぞれ直接叩くことにより、プリーツフィルタに振動を付与するようにしたので、複数のヒダにこれらの頂部を通る面と直交する方向に振動を付与することができる。これにより、プリーツフィルタの上流側の面のヒダの谷底側に付着した塵埃が上流側に弾き出されるので、プリーツフィルタに付着した細塵を振動により効果的に落とすこと（除塵）ができる。
【０００８】
しかも、振動付与手段としての叩き部材はプリーツフィルタのヒダのフィルタ面を叩いたり弾いたりしないので、振動付与時にプリーツフィルタの波形状のヒダのフィルタ面に損傷を与えることがなく、プリーツフィルタの機能を長期に渡って発揮できる。
【発明を実施するための最良の形態】
【０００９】
以下、この発明の実施の形態を図面に基づいて説明する。
[構成]
図１において、１は電気掃除機の掃除機本体、２は掃除機本体１のケース本体である。このケース本体２は、下ケース２ａと、この下ケース２ａの後上部に取り付けられた上ケース２ｂを有する。この下ケース２ａと上ケース２ｂとの間には、図２に示したように送風機室３が形成され、この送風機室３内には電動送風機４が配設されている。
【００１０】
また、図２，図３に示したように下ケース２ａの前部には上方に開放する容器収納凹部（容器収納部）５が形成され、上ケース２ｂには容器収納凹部５の上部を覆う上蓋（容器カバー）６が配設されている。この上蓋６は、後端部を中心に前部側が上下に開閉（回動）可能に上ケース２ｂの後部に取り付けられている。しかも、下ケース２ａの前端部にはホース接続口７が形成されている。
【００１１】
尚、上蓋６の前端下部には、図１，図２に示したように下ケース２ａの前端上部に係止させる図示しないクランプ手段が設けられている。このクランプ手段には周知の構成を採用できるのでその詳細な説明は省略する。
【００１２】
更に、図１に示したようにホース接続口７には集塵ホース８の一端部に一体に設けた接続筒体８ａが着脱自在に嵌合接続され、この集塵ホース８の他端部には手元操作パイプ（手元操作管）９が一体に設けられている。この手元操作パイプ９には延長パイプ（延長管）１０を介して吸込口体１１が接続されている。この吸込口体１１の下面には、図示しない吸込室の吸込開口（図示せず）が設けられている。
【００１３】
また、手元操作パイプ９には操作パネル９ａが設けられ、操作パネル９ａの操作により電動送風機４のＯＮ・ＯＦＦ操作や電動送風機４の吸込力（吸込負圧）の「強」，「弱」の切換を行うことができるようになっている。
＜集塵容器＞
更に、容器収納凹部５には、図２，図３に示したように集塵容器１２の下部が着脱可能に収納されている。
この集塵容器１２は、図２に示したように下方に開口する集塵室（集塵部）１３ａが下部に設けられた容器本体（容器）１３と、集塵室１３ａの下方を開閉する底蓋１４を有する。
【００１４】
この容器本体１３の上部には、図２に示したように複数の連通口（開口）１５ａを有する円錐状の筒部１５と、筒部１５の周囲に位置する負圧室１６が設けられている。
【００１５】
また、この筒部１５の一端はホース接続口７に連通させられ、筒部１５の他端は集塵室１３ａに連通させられている。この集塵室１３ａの後部壁１３ｂには負圧室１６に連通する連通口１７が形成されている。
【００１６】
しかも、筒部１５の連通口１５ａには円錐筒状の第１のネットフィルタ（第１の一次フィルタ）Ｆ１が取り付けられ、連通口１７には第２のネットフィルタ（第２の一次フィルタ）Ｆ２が取り付けられている。
【００１７】
さらに、容器本体１３の後部には負圧室１６を後方に開放する開口端部１８が形成され、この開口端部１８にはプリーツフィルタ（細塵フィルタ）１９が取り付けられている。この負圧室１６は、図２に示したように集塵容器１２の下部が容器収納凹部５に配設された（装着された）状態で、プリーツフィルタ１９を介して電動送風機４の吸込開口４ａに連通させられようになっている。
＜プリーツフィルタ１９＞
このプリーツフィルタ１９は、図４〜図９に示したように略方形状の筒状のフィルタ枠２０と、このフィルタ枠２０に周縁部がインサート成形により埋設保持されたフィルタ部材２１を有する。
【００１８】
このフィルタ部材２１は、図１０に示したように横断面形状が波形状に形成されたフィルタ本体２２と、このフィルタ本体２２の上流側の面（負圧室１６側の面）を被覆している塵埃剥離用多孔質薄膜層２３を有する。
【００１９】
尚、この塵埃剥離用多孔質薄膜層２３は、例えば孔径が０．１〜１０μｍ程度の微細孔を有するポリテトラフルオロエチレンやポリフッ化ビニリデン等から表面が滑らかに形成されている。
【００２０】
また、波形状のフィルタ本体２２は、上下に延び且つ左右に配列された多数のヒダ２４を有する。このヒダ２４は、負圧室１６側から見たときの頂部２４ａと、電動送風機４側から見た頂部２４ｂを有する。そして、頂部２４ａの裏面は電動送風機４側から見た谷部２５となり、頂部２４ｂの裏面は負圧室１６側から見た谷部２６となる。
【００２１】
そして、谷部２５には頂部２４ａに沿って延びる樹脂製の線状枠２７が固着され、谷部２６には頂部２４ｂに沿って延びる樹脂製の線状枠２８が固着されている。この線状枠２７，２８の長手方向両端部は筒状のフィルタ枠２０と一体に形成されていて、フィルタ部材２１を波形状に保形している。
【００２２】
このようなプリーツフィルタ１９の下流側（電動送風機４側）と掃除機本体１との間には、図４に概略的に示した除塵装置（除塵手段）２９が介装されている。
＜除塵装置２９＞
この除塵装置２９は、プリーツフィルタ１９の下流側（電動送風機４側）の上下方向の略中間部に配設され且つ多数（複数）のヒダ２４の頂部２４ｂの配列方向に向けて配設された複数の叩き部材３０と、この各叩き部材３０を複数のヒダ２４の頂部２４ｂに対してそれぞれ進退駆動させる叩き部材駆動手段３１を有する。各叩き部材３０は、図４〜図１０に示したように隣接するヒダ２４，２４に跨って配設されていると共に、側面形状がＬ字状に係合突部３０ａを有する。
【００２３】
また、叩き部材駆動手段３１は、各叩き部材３０に対応する一対一組の線状バネ（弾性部材）３２，３２（図４〜図９参照）と、左右に延びる細幅のカム軸支持部材３３と、このカム軸支持部材３３に沿って配設されたカム軸（叩き部材移動手段）３４を有する。
【００２４】
各線状バネ３２は、丸棒状のバネ部材から形成されていると共に、プリーツフィルタ１９のヒダ２４の各頂部２４ｂに対向し且つこの頂部２４ｂに沿って上下に向けて配設されている。しかも、各叩き部材３０に対応する一対の線状バネ３２，３２は、一端部（基端部，上端部）がフィルタ枠２０の上壁２０ａに固定されている。また、この一対の線状バネ３２，３２の他端部（先端部，自由端部，下端部）には叩き部材３０が固定されている（例えば、図４Ａ，図８参照）。これにより、一対の一組の線状バネ３２，３２は、叩き部材３０をフィルタ枠２０の上壁２０ａに支持させている。
【００２５】
また、カム軸支持部材３３は、複数の叩き部材３０の下方に隣接する位置に配設されていると共に、両端部がフィルタ枠２０の左右の側壁２０ｂ，２０ｂに固定されている。このカム軸支持部材３３の左右両端部には軸受突部３３ａ，３３ａが一体に形成されている。
【００２６】
この軸受突部３３ａ，３３ａには、カム軸３４の両端部が回転自在に保持されている。このカム軸３４には、複数の叩き部材３０にそれぞれ対応する複数のカム突部３４ａが突設されている。
【００２７】
この複数のカム突部３４ａは、カム軸３４の周方向に少しずつずれて設けられている。これにより多数（複数）のカム突部３４ａは、図１３（ａ）に示したカム軸３４の矢印Ａ１方向（時計回り方向）への回転に伴って、複数の叩き部材３０の係合突部３０ａに時間をずらして順にプリーツフィルタ１９側から係合するように回転させられるようになっている。
【００２８】
この係合後、カム軸３４が図１３（ｂ）のように更に回転させられると、カム突部３４ａは叩き部材３０を線状バネ３２のバネ力に抗してプリーツフィルタ１９から離反する方向に移動させる。この移動により、線状バネ３２が撓められて、この線状バネ３２に弾性戻り力が蓄えられる。
【００２９】
そして、回転に伴いカム突部３４ａが図１３（ｃ）の如く叩き部材３０の係合突部３０ａから弾くようにして外れると、叩き部材３０は線状バネ３２の弾性戻り力によりプリーツフィルタ１９の隣接するヒダ２４，２４の頂部に高速で衝突させられるようになっている。
【００３０】
また、叩き部材駆動手段３１は、図１１，図１２に示したようにカム軸３４の一端部に固定されたピニオン３５と、送風機室３内に配設された駆動モータ（カム軸回転駆動手段）３６を有する（図４参照）。この駆動モータ３６は、送風機室３と容器収納凹部５とを区画している隔壁３７の一側部に着脱可能に固定されている。しかも、この駆動モータ３６の出力軸３６ａは隔壁３７の一側部を貫通して容器収納凹部５内の一側に突出している。更に、叩き部材駆動手段３１は、駆動モータ３６の出力軸３６ａに取り付けられ且つピニオン３５が上方から噛合するウオームギヤ３８を有する。
【００３１】
尚、駆動モータ３６は、操作パネル９の操作により電動送風機４の作動を停止させてから所定時間経過したときに、図示を省略した制御回路（制御手段）により設定時間駆動されるようになっている。
【００３２】
この所定時間は、集塵室１３ａ内又は電動送風機４の吸込側の負圧が所定値まで上がって、プリーツフィルタ１９の除塵をしたときに、プリーツフィルタ１９から落とされる細塵が下方に落下できるような時間である。
[作用]
次に、このような構成の電気掃除機の作用を説明する
このような構成において清掃開始前には、上蓋６の前端部の図示しないクランプ手段による下ケース２ａの前端部へのクランプを解除して、上蓋６を上方に開き、容器収納凹部５を露出させ、この容器収納凹部５内に集塵容器１２の下部を配設する。この際、プリーツフィルタ１９のカム軸３４に設けたピニオン３５が容器収納凹部５内の一側部のウオームギヤ３８に噛合させられる。
【００３３】
この後、上蓋６を閉じて、上蓋６の前端部を下ケース２ａの前端部へクランプ手段により保持させることにより、集塵容器１２の上部を上蓋６で覆うと共に上蓋６で押さえる。
【００３４】
この状態で、手元操作パイプ９の操作パネル９ａを操作することにより電動送風機４を駆動させて、電動送風機４の吸込負圧を細塵フィルタ１９を介して集塵容器１２の負圧室１６に作用させる。
【００３５】
この負圧室１６に作用する吸込負圧は、ネットフィルタＦ１，Ｆ２、集塵ホース８，手元操作パイプ９及び延長パイプ１０を介して吸込口体１１に作用する。これにより、吸込口体１１の図示しない吸込開口から塵埃を含む空気が吸い込まれる。
【００３６】
この吸い込まれた塵埃及び空気は、延長パイプ１０，手元操作パイプ９及び集塵ホース８を介して集塵容器１２の吸込口１５ｂから筒部１５内に流入する。この流入する空気は、周囲の一部がネットフィルタＦ１を介して負圧室１６内に流入し、大半が塵埃と共に集塵室１３ａ内に流入した後にネットフィルタＦ２を介して負圧室１６内に流入する。この際、空気に含まれる塵埃の大半は、ネットフィルタＦ１，Ｆ２で捕捉されて、最終的には集塵室１３ａに捕集される。
【００３７】
一方、ネットフィルタＦ１，Ｆ２を空気と共に通過した細塵は細塵フィルタ１９に捕捉され、細塵が除去された空気は電動送風機４内に吸い込まれて内部を冷却した後に図示しない排気孔から大気に排気される。
【００３８】
そして、図示しない制御回路は、操作パネル９を操作して電動送風機４の作動を停止させると、この停止から所定時間経過したときに、駆動モータ３６を作動させて出力軸３６ａを回転駆動させる。この駆動モータ３６の出力軸３６ａの回転は、ウオームギヤ３８及びピニオン３５を介してカム軸３４に伝達され、カム軸３４が回転させられる。
【００３９】
この回転により、カム軸３４に設けられた多数（複数）のカム突部３４ａは、図１３（ａ）のように複数の叩き部材３０の係合突部３０ａに時間をずらして順にプリーツフィルタ１９側から係合するように回転させられる。
【００４０】
この係合後、図１３（ｂ）のようにカム軸３４が更に回転させられると、係合突部３０ａに係合したカム突部３４ａは矢印Ａ２のように係合突部３０ａが設けられた叩き部材３０を線状バネ３２のバネ力に抗してプリーツフィルタ１９から離反する方向に移動させる。この移動により、線状バネ３２が撓められて、この線状バネ３２に弾性戻り力が蓄えられる。
【００４１】
そして、回転に伴いカム突部３４ａが図１３（ｃ）の如く叩き部材３０の係合突部３０ａから弾くようにして外れると、叩き部材３０は線状バネ３２の弾性戻り力により矢印Ａ３で示すようにプリーツフィルタ１９の隣接するヒダ２４，２４の頂部２４ｂ，２４ｂに高速で衝突させられる。
【００４２】
この叩き部材３０が隣接するヒダ２４，２４の頂部２４ｂ，２４ｂに高速で衝突させられると、隣接するヒダ２４，２４が頂部２４ｂ，２４ｂの裏面の谷部２６，２６に設けた線状枠２８を介して全体的に前方向（負圧室１６側）に衝撃力で移動させられた後、小刻みに前後に振動する。そして、この衝撃力により、谷部２６，２６側の塵埃剥離用多孔質薄膜層２３に付着した細塵が塵埃剥離用多孔質薄膜層２３から剥離されて落下し除塵される。この際、細塵は、表面が滑らかな塵埃剥離用多孔質薄膜層２３に付着しているので、叩き部材３０による衝撃力で容易に塵埃剥離用多孔質薄膜層２３から剥離する。
【００４３】
このようにしてプリーツフィルタ１９の多数のヒダ２４の除塵は、多数のカム突部３４ａにより時間をずらして２つずつ順次実行されるので、全ての叩き部材３０の線状バネ３２に駆動モータ３６により弾性戻り力を蓄えさせるようにした場合に比べて、駆動モータ３６により線状バネ３２に弾性戻り力を蓄える際の駆動力を小さなものとすることができる。
【００４４】
このようにして捕集された塵埃を捨てる場合には、先ず上蓋６の前端部の図示しないクランプ手段による下ケース２ａの前端部へのクランプを解除して、上蓋６を上方に開き、容器本体１３の取手１３ｅ（図３参照）を掴んで集塵容器１２を容器収納凹部５から取り出す。この際、プリーツフィルタ１９のカム軸３４に設けたピニオン３５が容器収納凹部５内の一側部のウオームギヤ３８から離反させられる。この後、底蓋１４を下方に開いて、集塵容器１２の集塵室１３ａに捕集された塵埃を落下させ、塵埃をゴミ箱等に捨てる。
【００４５】
以上説明したように、この発明の実施の形態の電気掃除機は、集塵室１３ａ及び該集塵室１３ａに吸込負圧を作用させる電動送風機４を有する掃除機本体１と、前記集塵室１３ａと前記電動送風機４の吸込口４ａとの間に配設され且つ断面形状が波形状の複数のヒダ２４を有するプリーツフィルタ１９と、前記プリーツフィルタ１９の塵落とし手段（除塵装置２９）を備えている。しかも、この電気掃除機は、前記複数のヒダ２４の配列方向に複数配列され且つ前記複数のヒダ２４の頂部２４ｂをそれぞれ直接叩き可能に設けられた叩き部材３０と、前記複数の叩き部材３０を前記複数のヒダ２４の頂部２４ｂに対してそれぞれ進退駆動させる叩き部材駆動手段３１を備えている。
【００４６】
この構成によれば、プリーツフィルタ１９の複数のヒダ２４の頂部２４ｂを複数の叩き部材３０でそれぞれ直接叩くことにより、プリーツフィルタ１９に振動を付与するようにしたので、複数のヒダ２４にこれらの頂部２４ｂを通る面と直交する方向に振動を付与することができる。これにより、プリーツフィルタ１９の上流側の面のヒダ２４の谷部２６側に付着した塵埃が上流側に弾き出されるので、プリーツフィルタ１９に付着した細塵を振動により効果的に落とすこと（除塵）ができる。
【００４７】
しかも、振動付与手段としての叩き部材３０はプリーツフィルタ１９のヒダ２４のフィルタ面を叩いたり弾いたりしないので、振動付与時にプリーツフィルタ１９の波形状のヒダ２４のフィルタ面（表面）に損傷を与えることがなく、プリーツフィルタ１９の機能を長期に渡って発揮できる。
【００４８】
また、この発明の実施の形態の電気掃除機の前記叩き部材駆動手段３１は、前記複数の叩き部材３０が時間をずらして前記複数の頂部を異なるタイミングでそれぞれ叩き可能に、前記複数の叩き部材３０を前記複数の頂部２４ｂに対してそれぞれ駆動可能に設けられている。
【００４９】
この構成によれば、叩き部材駆動手段３１から複数の叩き部材３０に付与される駆動力を分散できるので、叩き部材駆動手段３１の駆動力は小さなもので良い。この結果、叩き部材駆動手段３１の駆動源として駆動モータ３６を用いた場合、駆動モータ３６の駆動トルクを小さくできるので、小型の駆動モータ３６でプリーツフィルタに付着した細塵を効果的に除塵できる。
【００５０】
また、この発明の実施の形態の電気掃除機の前記叩き部材駆動手段３１は、前記叩き部材３０を前記頂部２４ｂに対して付勢する弾性部材（線状バネ３２）と、前記叩き部材３０を前記弾性部材（線状バネ３２）の弾性力に抗して前記頂部２４ｂから離反する方向に移動力を前記弾性部材（線状バネ３２）に作用させた後に前記移動力を解除させる叩き部材移動手段（カム軸３４）を備えている。
【００５１】
この構成によれば、弾性部材（線状バネ３２）に力を蓄積して、この蓄積した力で叩き部材３０をプリーツフィルタ１９のヒダ２４に瞬間的に衝突させるので、プリーツフィルタ１９の複数のヒダ２４にこれらの頂部を通る面と直交する方向に除塵のための効果的な振動を付与することができる。
【００５２】
また、この発明の実施の形態の電気掃除機の前記弾性部材は丸棒状の線状バネ３２である。この構成によれば、線状バネ３２の空気抵抗は小さいので、集塵室１３ａからプリーツフィルタ１９を透過して電動送風機４に流れる空気の流れを線状バネが阻害せず、集塵効率の低下がない。
【００５３】
また、この発明の実施の形態の電気掃除機の前記線状バネ３２は前記頂部２４ｂに沿って配設されている。この構成によれば、プリーツフィルタ１９のヒダ２４の頂部は空気が透過しないので、線状バネ３２が空気抵抗になることはない。
【００５４】
また、この発明の実施の形態の電気掃除機の前記プリーツフィルタ１９の各ヒダ２４には、前記頂部２４ｂに沿って樹脂製の線状枠２８が形成されている。この構成によれば、各叩き部材３０から各ヒダ２４の頂部２４ｂに付与される振動発生力が線状枠２８を介して各ヒダ２４全体にそれぞれ伝達されるので、プリーツフィルタ１９の各ヒダ２４の上流側の面に付着した細塵を全面にわたって剥離できる。
【００５５】
また、この発明の実施の形態の電気掃除機の前記プリーツフィルタ１９の上流側の面には、多孔質で表面が滑らかな塵埃剥離用多孔質薄膜２３が設けられている。この構成によれば、各ヒダに振動を付与したときに、各ヒダの上流側の面に付着した細塵を更に効果的に剥離できる。
【図面の簡単な説明】
【００５６】
【図１】この発明にかかる電気掃除機の概略斜視図である。
【図２】図１の掃除機本体の上蓋を開いた状態の概略斜視図である。
【図３】図１の掃除機本体を部分的に断面して示した側面図である。
【図４】図２の集塵容器とプリーツフィルタとの関係を示す斜視図である。
【図４Ａ】図２の叩き部材と線状バネとの関係を示す要部拡大説明図である。
【図５】図４のプリーツフィルタを斜め下側から見た斜視図である。
【図６】図５のプリーツフィルタを斜め側部から見たの斜視図である。
【図７】図５のプリーツフィルタを斜め上側から見たの斜視図である。
【図８】図７のプリーツフィルタの左側部の部分拡大図である。
【図９】図６のプリーツフィルタの右側部の部分拡大図である。
【図１０】図４のプリーツフィルタと叩き部材との関係を示す断面図である。
【図１１】図４の叩き部材駆動手段の一部である駆動モータの取付状態を示す部分断面図である。
【図１２】図４の叩き部材駆動手段の一部である駆動モータの取付状態を示す部分断面図である。
【図１３】（ａ）〜（ｃ）は、図４のカム軸のカム突部による叩き部材の動作を説明する作用説明図である。
【符号の説明】
【００５７】
１…掃除機本体
４…電動送風機
４ａ…吸込口
１３ａ…集塵室
１９…プリーツフィルタ
２３…塵埃剥離用多孔質薄膜
２４…ヒダ
２４ｂ…頂部
２６…谷部
２８…線状枠
２９…除塵装置（塵落とし手段）
３０…叩き部材
３１…叩き部材駆動手段
３２…線状バネ
３４…カム軸
【図１】
2007244724.tif 000003
【図２】
2007244724.tif 000004
【図３】
2007244724.tif 000005
【図４】
2007244724.tif 000006
【図４Ａ】
2007244724.tif 000007
【図５】
2007244724.tif 000008
【図６】
2007244724.tif 000009
【図７】
2007244724.tif 000010
【図８】
2007244724.tif 000011
【図９】
2007244724.tif 000012
【図１０】
2007244724.tif 000013
【図１１】
2007244724.tif 000014
【図１２】
2007244724.tif 000015
【図１３】
2007244724.tif 000016